(57)【要約】【課題】通信回線の負荷を軽減して、より迅速に道路情報を放送することを可能とするトンネル割込放送制御システムを提供する。【解決手段】トンネル割込放送制御システム１０は、中央制御装置１２と、通信回線１４を介して中央制御装置１２に接続される複数の割込放送装置１６（ｉ）と、再放送装置２２（ｉ）とから構成される。各割込放送装置１６（ｉ）は、複数の音片データが登録されている音片データ蓄積部４０と、前記音片データを組み合わせて音声データを生成する音声データ生成処理部３８とを有する。割込放送装置１６（ｉ）が通信回線１４を介して中央制御装置１２から制御信号を受信すると、音声データ生成処理部３８は、前記制御信号の示す道路情報に対応する音声データを生成し、割込放送装置１６（ｉ）は、この音声データの示す道路情報を第２の放送として第２アンテナ５０からトンネル２０（ｉ）内に放送する。【選択図】図１
2005316691.tif 000002
【特許請求の範囲】
【請求項１】
道路に設けられたトンネルの近傍に配置され、前記トンネルの外部に配置された第１アンテナで第１の放送を受信し、前記トンネル内に配置された第２アンテナにより前記トンネル内に前記第１の放送を再放送する再放送装置と、
前記第２アンテナに接続され、音声データを生成する音声データ生成処理部を有する割込放送装置と、
通信回線を介して前記割込放送装置に接続され、外部から前記道路に関する道路情報が供給されたとき、前記道路情報に基づいて制御信号を生成し、前記制御信号を前記通信回線を介して前記割込放送装置に送信する中央制御装置と、
を備え、
前記割込放送装置は、前記制御信号を受信したとき、受信した前記制御信号に対応する音声データを前記音声データ生成処理部により生成し、前記第１の放送の代わりに前記第２アンテナから前記音声データに基づく第２の放送を放送する
ことを特徴とするトンネル割込放送制御システム。
【請求項２】
請求項１記載のトンネル割込放送制御システムにおいて、
前記割込放送装置が複数配置されている場合、前記中央制御装置と前記各割込放送装置とでは、ループ状に通信回線が接続されている
ことを特徴とするトンネル割込放送制御システム。
【請求項３】
請求項１記載のトンネル割込放送制御システムにおいて、
前記割込放送装置が複数配置されている場合、前記中央制御装置と前記各割込放送装置とでは、直列に通信回線が接続されている
ことを特徴とするトンネル割込放送制御システム。
【請求項４】
請求項１〜３のいずれか１項に記載のトンネル割込放送制御システムにおいて、
前記制御信号は、前記割込放送装置を特定するアドレスをさらに含み、
前記割込放送装置は、受信した前記制御信号が自己に対する制御信号であるか否かを前記アドレスにより判定するアドレス判定処理部と、複数の音片データが蓄積された音片データ蓄積部とを有し、
前記アドレス判定処理部が、受信した前記制御信号を自己の割込放送装置に対する制御信号であると判定した場合、前記音声データ生成処理部は、前記制御信号に基づいて前記音片データ蓄積部の各音片データを組み合わせて音声データを生成する
ことを特徴とするトンネル割込放送制御システム。
【請求項５】
請求項２又は３記載のトンネル割込放送制御システムにおいて、
前記道路情報に位置情報が含まれる場合、前記各割込放送装置のうち、所定の割込放送装置に前記中央制御装置から前記制御信号を送信され、
さらに、前記所定の割込放送装置から別の割込放送装置に前記制御信号が送信された場合、前記制御信号を受信した前記別の割込放送装置は、当該制御信号が前記所定の割込放送装置用として送信されたものであると特定したとき、当該別の割込放送装置の位置と前記所定の割込放送装置の位置とに基づいて前記位置情報を修正し、修正した位置情報に基づいて、受信した前記制御信号に対応する音声データを前記音声データ生成処理部により生成し、前記音声データに基づく道路情報を前記道路上に放送する
ことを特徴とするトンネル割込放送制御システム。
【発明の詳細な説明】
【技術分野】
【０００１】
本発明は、道路情報を示す制御信号を生成する中央制御装置と、トンネル内で第１の放送を行う再放送装置と、前記トンネル内に前記制御信号に基づく道路情報の第２の放送を前記第１の放送に代えて行う割込放送装置とを有するトンネル割込放送制御システムに関する。
【背景技術】
【０００２】
高速道路や一般道路の所定区間で渋滞、事故あるいは通行止等の道路情報を、ラジオ放送を受信することが困難なトンネル内で放送し、その放送区間内を走行している車両の搭乗者が、カーラジオ等を介してその道路情報を聞けるようにしたトンネル割込放送制御システムが、特許文献１に開示されている。
【０００３】
図１１は、特許文献１に開示されているトンネル割込放送制御システム１００の概略構成図であり、道路１０２に設けられたトンネル１０４ｉ（ｉ＝１〜ｎ）の近傍に再放送装置１０６ｉが設けられ、この再放送装置１０６ｉは、第１アンテナ１０８で受信した第１の放送を、受信部１１０及び送信部１１２を介してトンネル１０４ｉ内に配置された第２アンテナ１１４によりこのトンネル１０４ｉ内を放送する。
【０００４】
ここで、トンネル１０４ｉ内において、図示しない渋滞、事故あるいは通行止等が発生したという道路情報が外部から中央制御装置１１６に伝達されると、操作端末（ＰＣ端末）１１８のディスプレイ上に前記道路情報が表示される。
【０００５】
中央制御装置１１６の操作員は、前記道路情報に基づいてトンネル１０４ｉ内の道路１０２上を走行する車両１２０に放送する道路情報と、この道路情報を放送する割込放送装置１２２（ｉ）とを決定し、この道路情報と割込放送装置１２２（ｉ）とを示す指示内容をキーボード等により入力する。
【０００６】
中央制御装置１１６の割込放送用信号生成処理部１２４は、この指示内容に基づいて音片データ蓄積部１２６内の複数の音片データから前記道路情報に対応する音声データを作成し、この音声データを音声データ蓄積部１２８に記憶すると共に、この音声データを放送する割込放送装置１２２（ｉ）を制御するための制御信号を生成する。
【０００７】
中央制御装置１１６の通信制御部１３０は、前記制御信号と前記音声データとを組み合わせてから通信回線１３２（ｉ）を介して割込放送装置１２２（ｉ）に送信する。割込放送装置１２２（ｉ）の通信制御部１３４は、受信した前記制御信号を切換信号生成部１３６に送信し、前記音声データを割込放送データ送信部１３８に送信する。
【０００８】
ここで、送信部１１２及び割込放送データ送信部１３８は切換部１４０を介して第２アンテナ１１４に接続されており、切換部１４０は、切換信号生成部１３６から信号を受信すると、送信部１１２と第２アンテナ１１４との接続を、割込放送データ送信部１３８と第２アンテナ１１４との接続に切り換える。これにより、第２アンテナ１１４からは第１の放送の代りに前記音声データによる第２の放送が放送され、割込放送装置１２２（ｉ）はトンネル１０４ｉ内を走行する車両１２０のカーラジオを介して道路情報を放送する。
【０００９】
【特許文献１】特開２００３−２０８６８２号公報
【発明の開示】
【発明が解決しようとする課題】
【００１０】
特許文献１では、中央制御装置１１６内において制御信号と音声データとを作成し、通信回線１３２（ｉ）を介して各割込放送装置１２２（ｉ）に前記制御信号及び前記音声データを送信している。この場合、前記音声データの情報量は前記制御信号と比較して極めて大きいので、前記制御信号及び前記音声データを伝送する通信回線１３２（ｉ）の負荷は大きくなる。
【００１１】
また、前記音声データの情報量が大きいので、通信回線１３２（ｉ）における前記制御信号及び前記音声データの伝送時間が増大し、トンネル１０４ｉ内の道路１０２上を走行する車両１２０の搭乗者に対して道路情報を迅速に提供することが困難である。
【００１２】
本発明は、上述した問題を解決するためになされたものであり、通信回線の負荷を軽減して、より迅速にトンネル内に道路情報を放送することを可能とするトンネル割込放送制御システムを提供することを目的とする。
【課題を解決するための手段】
【００１３】
本発明に係るトンネル割込放送制御システムは、道路に設けられたトンネルの近傍に配置され、前記トンネルの外部に配置された第１アンテナで第１の放送を受信し、前記トンネル内に配置された第２アンテナにより前記トンネル内に前記第１の放送を再放送する再放送装置と、前記第２アンテナに接続され、音声データを生成する音声データ生成処理部を有する割込放送装置と、通信回線を介して前記割込放送装置に接続され、外部から前記道路に関する道路情報が供給されたとき、前記道路情報に基づいて制御信号を生成し、前記制御信号を前記通信回線を介して前記割込放送装置に送信する中央制御装置と、を備え、前記割込放送装置は、前記制御信号を受信したとき、受信した前記制御信号に対応する音声データを前記音声データ生成処理部により生成し、前記第１の放送の代わりに前記第２アンテナから前記音声データに基づく第２の放送を放送することを特徴とする。
【００１４】
前記中央制御装置では前記制御信号を生成し、前記割込放送装置では前記制御信号に基づいて前記音声データを生成するので、前記通信回線を伝送する信号は、前記音声データと比較して情報量が極めて少ない前記制御信号のみとなる。これにより、前記通信回線の負荷を著しく軽減することができる。
【００１５】
また、前記中央制御装置から前記割込放送装置に伝送される情報は前記制御信号のみであるから、前記通信回線での伝送時間を著しく減少させることができ、前記割込放送装置から前記トンネル内の前記道路上を走行している車両に対して迅速に前記道路情報を放送することが可能となる。
【００１６】
また、従来は、中央制御装置と各割込放送装置との間を通信回線で各々接続していた。この場合、前記通信回線に故障や断線等の事故が発生すると、前記中央制御装置と前記事故の通信回線に接続されている前記割込放送装置との間で制御信号及び音声データの送受信が行えないことになり、トンネル割込放送制御システムの管理・運用に支障を来たしていた。
【００１７】
そこで、本発明では、割込放送装置が複数配置されている場合、中央制御装置と各割込放送装置とでは、ループ状に通信回線を接続している。これにより、前記中央制御装置と前記各割込放送装置との間の前記通信回線のうち、一方向の経路が事故又は故障により前記制御信号が送信できない場合であっても、反対方向の経路を介して前記制御信号を送信することが可能となり、トンネル割込放送制御システムを停止させることなく前記各割込放送装置を管理・運用することが可能となる。また、従来のトンネル割込放送制御システムと比較して通信回線の総延長距離が短縮されるので、通信回線の構築コストを低減することが可能となる。
【００１８】
また、前記割込放送装置が複数配置されている場合、前記中央制御装置と前記各割込放送装置とでは、直列に通信回線を接続してもよい。この場合であっても、従来のトンネル割込放送制御システムと比較して通信回線の総延長距離が短縮されるので、通信回線の構築コストを低減することが可能となる。
【００１９】
上述したトンネル割込放送制御システムでは、前記制御信号は、前記割込放送装置を特定するアドレスを含み、前記割込放送装置は、受信した前記制御信号が自己に対する制御信号であるか否かを前記アドレスにより判定するアドレス判定処理部と、複数の音片データが蓄積された音片データ蓄積部とを有し、前記アドレス判定処理部が、受信した前記制御信号を自己の割込放送装置に対する制御信号であると判定した場合、前記音声データ生成処理部は、前記制御信号に基づいて前記音片データ蓄積部の各音片データを組み合わせて音声データを生成してもよい。
【００２０】
これにより、前記割込放送装置は、受信した前記制御信号が自己に対する制御信号であるか否かを判定することが可能となり、より的確な道路情報の放送が可能となる。また、前記音片データ蓄積部に複数の音片データが蓄積されているので、前記制御信号に対応して様々な音声データを生成することができ、多様な道路情報を前記割込放送装置から放送することが可能となる。
【００２１】
さらに、本発明では、前記道路情報に位置情報が含まれる場合、前記各割込放送装置のうち、所定の割込放送装置に前記中央制御装置から前記制御信号を送信され、さらに、前記所定の割込放送装置から別の割込放送装置に前記制御信号が送信された場合、前記制御信号を受信した前記別の割込放送装置は、当該制御信号が前記所定の割込放送装置用として送信されたものであると特定したとき、当該別の割込放送装置の位置と前記所定の割込放送装置の位置とに基づいて前記位置情報を修正し、修正した位置情報に基づいて、受信した前記制御信号に対応する音声データを前記音声データ生成処理部により生成し、前記音声データに基づく道路情報を前記道路上に放送してもよい。
【００２２】
これにより、位置情報を含む前記制御信号を前記所定の割込放送装置に送信するだけで、前記制御信号を受信した前記別の割込放送装置は、当該別の割込放送装置の位置と前記所定の割込放送装置の位置とを把握して、前記位置情報を修正し、修正した位置情報を含む音声データを前記音声データ生成処理部により生成し、前記音声データに基づく前記第２の放送を前記トンネル内に放送する。
【００２３】
そのため、前記中央制御装置は、複数の放送区間に配置された各割込放送装置に対して、同一の放送内容を放送するために複数の制御信号を生成するといった手間を省くことができる。また、前記各割込放送装置では、前記位置情報を修正して前記各放送区間に対応する第２の放送を放送するので、前記中央制御装置からの前記各割込放送装置の管理・運用が容易となる。特に、通信回線がループ状あるいは直列に前記中央制御装置と前記各割込放送装置とを接続すれば、１つの制御信号を前記各割込放送装置に伝送し、前記各割込放送装置に対応する第２の放送を行うことが容易となる。
【発明の効果】
【００２４】
上述したように、本発明によれば、中央制御装置で制御信号を生成し、割込放送装置で前記制御信号に基づいて音声データを生成するので、通信回線を伝送する信号は、前記音声データと比較して情報量が極めて少ない前記制御信号のみとなる。これにより、前記通信回線の負荷を著しく軽減することができる。また、前記中央制御装置から前記割込放送装置に伝送される情報は前記制御信号のみであるから、前記通信回線での伝送時間を著しく減少させることができ、前記割込放送装置から前記トンネル内の前記道路上を走行している車両に対して迅速に第２の放送を放送することが可能となる。
【発明を実施するための最良の形態】
【００２５】
本発明に係るトンネル割込放送制御システムについて、好適な実施の形態を挙げ、添付の図面を参照しながら以下に説明する。
【００２６】
本実施の形態に係るトンネル割込放送制御システム１０は、図１に示すように、中央制御装置１２と、通信回線１４を介して中央制御装置１２に接続される複数の割込放送装置１６（ｉ）（ｉ＝１〜ｎ）と、道路１８上に配置されたトンネル２０（ｉ）の近傍に設けられる再放送装置２２（ｉ）から基本的に構成される。
【００２７】
中央制御装置１２は、汎用のパーソナルコンピュータやワークステーション、あるいはこの中央制御装置１２に特化した専用機等で構成される制御端末（ＰＣ端末）２４と、このＰＣ端末２４に接続され且つＰＣ端末２４からの指示内容に基づいて制御信号を生成する制御信号生成処理部２６と、この制御信号生成処理部２６に接続され且つ前記制御信号を通信回線１４を介して各割込放送装置１６（ｉ）に送信する通信制御部２８とから構成される。
【００２８】
ＰＣ端末２４は、道路１８を管理する図示しない道路管理センタからこの道路１８に関する道路情報が供給されたとき、この道路情報を図示しないディスプレイ上に出力する。中央制御装置１２の操作員は、この道路情報に基づいて道路情報を放送する割込放送装置１６（ｉ）と、この割込放送装置１６（ｉ）で放送する道路情報の内容とを決定し、図示しないキーボードあるいはマウスを使ってこれらの指示内容を入力する。
【００２９】
ここで、上述した道路情報とは、道路１８、特にトンネル２０（ｉ）内の道路１８に関する情報であり、例えば、道路１８を走行する車両３０の渋滞、事故又は故障に関する情報、道路１８上の車両３０の走行の障害となる物体に関する情報、道路１８の工事又は通行止めに関する情報をいう。
【００３０】
この場合、トンネル２０（ｉ）内の道路１８上を走行中の車両３０に対して割込放送装置１６（ｉ）から道路情報を放送するので、中央制御装置１２の操作員が前記キーボードあるいはマウスから入力する道路情報（前記指示内容）は、割込放送装置１６（ｉ）よりも下流側における事象を示す道路情報である。ここで、道路１８上を走行する車両３０の進行方向の進行先を下流側とし、その反対側である進行元を上流側とする。
【００３１】
制御信号生成処理部２６は、上述した指示内容に基づいて前記制御信号を生成し、通信制御部２８に送信する。この制御信号には、前記道路情報を示すデータや前記道路情報を放送する割込放送装置１６（ｉ）に関するデータが含まれている。
【００３２】
通信制御部２８は、通信回線１４の種類に対応して前記制御信号を割込放送装置１６（ｉ）に送信可能な信号に変換してから、前記制御信号内に含まれている割込放送装置１６（ｉ）の宛先（割込放送装置１６（ｉ）を特定するアドレス）に従って、該当する割込放送装置１６（ｉ）に変換された前記信号を送信する。
【００３３】
通信回線１４は、中央制御装置１２と各割込放送装置１６（ｉ）とをループ状に接続している。そのため、通信回線１４のうち、例えば、中央制御装置１２と割込放送装置１６（１）との間の経路が故障又は断線であっても、中央制御装置１２から割込放送装置１６（ｎ）への経路を介して前記制御信号を各割込放送装置１６（ｉ）に送信することが可能である。そのため、故障又は断線となっている前記経路を復旧させるためにトンネル割込放送制御システム１０を停止する必要は無く、このトンネル割込放送制御システム１０を継続して運用することが可能となる。
【００３４】
各割込放送装置１６（ｉ）は、トンネル２０（ｉ）の近傍であって、道路１８の路側に所定の間隔（数ｋｍ程度）で配置されている。ここで、各割込放送装置１６（ｉ）は、通信回線１４に接続される通信制御部３２と、通信制御部３２に接続されるアドレス判定処理部３４と、アドレス判定処理部３４に接続される位置特定部３６と、アドレス判定処理部３４及び位置特定部３６に接続される音声データ生成処理部３８と、音声データ生成処理部３８に接続される音片データ蓄積部４０と、音声データ生成処理部３８に接続される音声データ蓄積部４２と、音声データ生成処理部３８及び音声データ蓄積部４２に接続される割込放送データ送信部４４と、音声データ生成処理部３８に接続される切換信号生成部４６と、割込放送データ送信部４４に接続され且つ切換信号生成部４６により制御される切換部４８とから構成されている。
【００３５】
通信制御部３２は、通信回線１４を介して受信した変換された前記信号を前記制御信号に変換し、アドレス判定処理部３４に送信する。
【００３６】
アドレス判定処理部３４は、前記制御信号に含まれる前記アドレスを調べて、前記制御信号が自己の割込放送装置１６（ｉ）に対する制御信号であるか否かを判定する。この判定処理では、前記制御信号に含まれる前記アドレスと、アドレス判定処理部３４に予め登録されている自己の割込放送装置１６（ｉ）のアドレスとを比較して、一致していれば当該制御信号が自己の割込放送装置１６（ｉ）に対する制御信号であるものと判定し、一致していなければ他の割込放送装置１６（ｉ）に対する制御信号であるものと判定する。
【００３７】
また、アドレス判定処理部３４は、前記制御信号を通信制御部３２及び通信回線１４を介して他の割込放送装置１６（ｉ）に送信する処理も行う。
【００３８】
位置特定部３６は、アドレス判定処理部３４における上述した判定処理で、前記制御信号が他の割込放送装置１６（ｉ）に対する制御信号であると判定された場合に、自己の割込放送装置１６（ｉ）と他の割込放送装置１６（ｉ）との位置関係を求める処理を行う。
【００３９】
この処理では、予め登録されている各割込放送装置１６（ｉ）の位置関係から自己の割込放送装置１６（ｉ）の位置と他の割込放送装置１６（ｉ）の位置とを特定し、さらに予め登録されている各割込放送装置１６（ｉ）の位置関係から自己の割込放送装置１６（ｉ）が他の割込放送装置１６（ｉ）に対して道路１８上の上流側あるいは下流側にあるか否かを判定する。
【００４０】
音声データ生成処理部３８は、アドレス判定処理部３４又は位置特定部３６から受信した前記制御信号に基づいて、音片データ蓄積部４０に予め登録されている音片データを呼び出し、次いで前記音片データから前記道路情報に対応する音声データを生成してから、この音声データを音声データ蓄積部４２に蓄積する処理を行う。
【００４１】
ここで、前記音片データとは、割込放送装置１６（ｉ）から放送される道路情報の内容の全部又は一部を、文章又は文節として音片データ蓄積部４０に登録したデータであり、この音片データ蓄積部４０には、（１）前記道路情報内に含まれる場所等の部分を空欄とした文章データ（以下、便宜的に基本文データという）、（２）前記道路情報の一部を示す文節データ、（３）前記道路情報が文章として登録されている文章データ（以下、便宜的に共通文データという）、の３種類の音片データが登録されている。
【００４２】
ここで、音声データ生成処理部３８における音声データ生成処理では、前記制御信号の示す指示内容に基づいて、（１）音片データ蓄積部４０内の基本文データと文節データとを組み合わせて音声データ（以下、便宜的に編集文データという）とする処理、（２）音片データ蓄積部４０内の共通文データを音声データとする処理、のいずれかの処理を行う。
【００４３】
また、音声データ生成処理部３８は、位置特定部３６から受信した、自己の割込放送装置１６（ｉ）と他の割込放送装置１６（ｉ）との位置関係から、他の割込放送装置１６（ｉ）に対する前記制御信号の道路情報を自己の割込放送装置１６（ｉ）から放送すべきか否かの判定処理も行う。
【００４４】
例えば、トンネル２０（２）で渋滞が発生し、中央制御装置１２からの制御信号が他の割込放送装置１６（２）宛の制御信号である場合、自己の割込放送装置１６（１）の音声データ生成処理部３８は、自己の割込放送装置１６（１）が他の割込放送装置１６（２）よりも下流側に配置されているという結果より、前記渋滞に関する道路情報は自己の割込放送装置１６（１）から放送しなくてもよいものと判定する。この判定結果に基づいて、音声データ生成処理部３８は、前記制御信号による音声データの生成を行わないことを決定する。
【００４５】
割込放送データ送信部４４は、音声データ蓄積部４２に蓄積されている音声データのうち、前記制御信号に対応する音声データを呼び出し、この音声データの信号に対して変調処理を行い、変調信号に搬送波信号を重畳して割込放送（第２の放送）用の信号として切換部４８に送信する。
【００４６】
切換信号生成部４６は、音声データ生成処理部３８からの信号に基づいて切換部４８のスイッチを制御する信号を生成し、切換部４８に送信する。
【００４７】
切換部４８は、切換信号生成部４６からの信号に基づいて、２つの入力端子のいずれか一方と出力端子とを接続するスイッチであり、２つの入力端子のうち一方の端子は割込放送データ送信部４４に接続され、他方の端子は再放送装置２２（ｉ）に接続されている。また、出力端子は、トンネル２０（ｉ）内に配置された放送用アンテナ（第２アンテナ）５０に接続されている。
【００４８】
ここで、切換信号生成部４６から信号が供給される場合、切換部４８は一方の入力端子と出力端子とを接続する。また、切換信号生成部４６から信号が供給されない場合、切換部４８は他方の入力端子と出力端子とを接続する。
【００４９】
第２アンテナ５０は漏洩同軸ケーブルから構成され、図示しないスロットから前記電波を放射することによりトンネル２０（ｉ）内に放送を行う。
【００５０】
再放送装置２２（ｉ）は、外部から第１の放送を受信する受信用アンテナ（第１アンテナ）５２に接続される受信部５４と、受信部５４及び切換部４８の他方の入力端子に接続される送信部５６とから構成されている。
【００５１】
受信部５４は、第１アンテナ５２で受信された第１の放送を復調し、復調された第１の放送を送信部に送信する。送信部５６は受信した第１の放送を変調し、さらに割込放送データ送信部４４と同じ搬送波信号を重畳して切換部４８に送信する。
【００５２】
ここで、中央制御装置１２から各割込放送装置１６（ｉ）に対して制御信号を送信しない場合、音声データ生成処理部３８から切換信号生成部４６に信号が送信されず、この切換信号生成部４６から切換部４８に信号は供給されない。そのため、切換部４８は、再放送装置２２（１）の送信部５６に接続される他方の入力端子と、第２アンテナ５０に接続される出力端子とを接続する。
【００５３】
これにより、第１アンテナ５２を介して再放送装置２２（ｉ）に受信された第１の放送は、切換部４８を介して第２アンテナ５０に送信され、この第２アンテナ５０からトンネル２０（ｉ）内に第１の放送が放送される。
【００５４】
一方、中央制御装置１２から各割込放送装置１６（ｉ）に対して制御信号を送信する場合、音声データ生成処理部３８から切換信号生成部４６に信号が送信され、この切換信号生成部４６から切換部４８に信号が供給される。そのため、切換部４８は、受信した信号に基づいて、割込放送データ送信部４４に接続される一方の入力端子と、第２アンテナ５０に接続される出力端子とを接続する。
【００５５】
これにより、割込放送データ送信部４４から切換部４８に送信された音声データは、切換部４８を介して第２アンテナ５０に送信され、この第２アンテナ５０からトンネル２０（ｉ）内に第２の放送が放送される。
【００５６】
本実施の形態に係るトンネル割込放送制御システム１０は、基本的には、以上のように構成されるものであり、次に、中央制御装置１２から通信回線１４を介して制御信号を送信したときの割込放送装置１６（ｉ）からの第２の放送について、図２〜図８を参照しながら説明する。
【００５７】
ここでは、図２に示すように、代表的に４つの割込放送装置１６（１）〜１６（４）と４つの再放送装置２２（１）〜２２（４）とを、トンネル２０（１）〜２０（４）の近傍に配置する場合を示し、以下、これらの割込放送装置１６（１）〜１６（４）を前提として、各割込放送装置１６（１）〜１６（４）からの道路情報の放送について説明する。
【００５８】
図２では、道路１８上に配置されたトンネル２０（２）内に故障車両５８が存在し、この道路１８上を車両３０が上流側（図２の右側）から下流側（図２の左側）に向って走行するものとする。また、トンネル２０（２）内に故障車両５８が存在するという道路情報を含む制御信号を、中央制御装置１２から割込放送装置１６（１）〜１６（４）に送信したとき、再放送装置２２（１）〜２２（４）からの第１の放送に代わり、各割込放送装置１６（１）〜１６（４）からの第２の放送がトンネル２０（１）〜２０（４）内に放送されることを前提とする。この場合、中央制御装置１２から割込放送装置１６（１）に、前記道路情報と割込放送装置１６（１）を特定するアドレスとを含む制御信号を送信する。
【００５９】
この第２の放送に先立ち、中央制御装置１２の制御信号生成処理部２６と各割込放送装置１６（１）〜１６（４）の位置特定部３６とには、各割込放送装置１６（１）〜１６（４）の位置関係が各々格納されている。各割込放送装置１６（１）〜１６（４）が各トンネル２０（１）〜２０（４）の近傍に配置されていることから、上述した位置関係は、各トンネル２０（１）〜２０（４）の位置関係も示すことになる。
【００６０】
次いで、図３に示すように、中央制御装置１２のＰＣ端末２４（図１参照）は、トンネル２０（２）内に故障車両５８が存在するという道路情報を、図示しない道路管理センタから受信し（ステップＳ１）、受信した前記道路情報を図示しないディスプレイ上に出力する（ステップＳ２）。
【００６１】
中央制御装置１２の操作員は、前記ディスプレイの出力内容より、トンネル２０（２）内に故障車両５８が存在することを把握し、割込放送装置１６（１）に上述した道路情報を伝送することを決定する。次いで、前記操作員は、割込放送装置１６（１）に伝送する道路情報の内容（指示内容）を図示しないキーボードあるいはマウスを使って入力する（ステップＳ３）。
【００６２】
制御信号生成処理部２６は前記指示内容を受信し（ステップＳ４）、受信した前記指示内容に基づいて割込放送装置１６（１）に送信する制御信号を生成する（ステップＳ５）。図４は、ステップＳ５において、制御信号生成処理部２６により生成される制御信号を示すデータ６０を示す。
【００６３】
このデータ６０は、放送区間データ６６と放送開始（終了）データ６８と放送文章種別データ７０と放送文章内容データ７２とから構成されている。
【００６４】
放送区間データ６６は、前記道路情報を放送する放送区間であるトンネル２０（１）を示す識別番号データ（２進数のディジタルデータ）であり、ここではトンネル２０（１）に前記道路情報を放送する割込放送装置１６（１）を示すアドレスが格納されている。なお、割込放送装置１６（１）のアドレスが格納されていれば、放送開始（終了）データ６８と放送文章種別データ７０と放送文章内容データ７２とには、割込放送装置１６（１）のデータが各々格納される。
【００６５】
放送開始（終了）データ６８には、割込放送装置１６（１）における前記道路情報の放送開始あるいは放送終了を割込放送装置１６（１）に指示するための識別番号データが格納され、放送終了のデータを格納する場合、データ６０は、放送区間データ６６と放送開始（終了）データ６８とで構成される。
【００６６】
放送文章種別データ７０には、割込放送装置１６（１）の音声データ生成処理部３８で生成される音声データの文章の種類、すなわち、割込放送装置１６（１）から放送される道路情報の文章が、（１）基本文データと文節データとの組み合わせ（編集文データ）による文章、（２）共通文データによる文章のいずれかであることを示す識別番号データが格納される。ここでは、割込放送装置１６（１）にトンネル２０（２）における故障車両５８の道路情報を伝送するために、編集文データの識別番号コードを格納する。
【００６７】
放送文章内容データ７２には、道路情報の具体的内容に対応する識別番号データが格納されている。制御信号生成処理部２６には、各割込放送装置１６（１）の音片データ蓄積部４０に蓄積されている各種音片データに対応する識別番号データが予め登録されており、制御信号生成処理部２６は、放送文章種別データ７０に格納されている識別番号データに対応して、前記音片データに対応する識別番号データを組み合わせて放送文章内容データ７２に格納する。
【００６８】
この場合、放送文章内容データ７２には、トンネル２０（２）内に故障車両５８が存在するという意味の文章について、前記文章に対応する複数の識別番号データを順次格納する。
【００６９】
このようにして生成された制御信号は、図３に示すように、制御信号生成処理部２６（図１参照）から通信制御部２８に送信され、通信制御部２８では受信された前記制御信号を通信回線１４で送信可能な信号に変換し、変換された前記信号をそのアドレスに従って、通信回線１４を介して割込放送装置１６（１）に送信する（ステップＳ６）。
【００７０】
割込放送装置１６（１）の通信制御部３２は、変換された前記信号を受信し（ステップＳ７）、前記制御信号に変換してからアドレス判定処理部３４に送信する。
【００７１】
割込放送装置１６（１）のアドレス判定処理部３４では、図５に示すように、前記制御信号を示すデータ６０（図４参照）の放送区間データ６６に格納されたアドレスが、予めアドレス判定処理部３４に登録された割込放送装置１６（１）のアドレスと一致するか否かを判定する（ステップＳ８）。この判定処理において、２つのアドレスが一致した場合、アドレス判定処理部３４は、前記制御信号が割込放送装置１６（１）に対する制御信号であると判断し、次いで、この制御信号を通信制御部３２及び通信回線１４を介して割込放送装置１６（２）に送信する（ステップＳ９）。
【００７２】
次いで、アドレス判定処理部３４は、前記制御信号を音声データ生成処理部３８に送信し、音声データ生成処理部３８は、受信した前記制御信号に含まれる放送開始（終了）データ６８の内容を調べ、前記制御信号の示す指示内容が放送開始処理であるか否かを判定する（ステップＳ１０）。
【００７３】
ステップＳ１０において、前記指示内容が放送開始処理であると判定した場合、音声データ生成処理部３８は、音声データの生成処理を行う（ステップＳ１１）。
【００７４】
ステップＳ１１において、音声データ生成処理部３８は、先ず、受信した前記制御信号の放送文章種別データ７０に格納されている識別番号データから、生成する音声データの文章の種類が、（１）編集文データによる文章、（２）共通文データによる文章のいずれかであるか否かを判定する。ここでは、放送文章種別データ７０の識別番号データから編集文データであると判定される。
【００７５】
次いで、音声データ生成処理部３８は、放送文章内容データ７２に格納されている識別番号データに対応する音片データを音片データ蓄積部４０から呼び出して、音声データを生成する。ここでは、放送文章内容データ７２に格納されている識別番号データの格納順に呼び出した各音片データを組み合わせ、トンネル２０（２）内に故障車両５８が存在するという意味の音声データを生成する。
【００７６】
次いで、音声データ生成処理部３８は、生成した前記音声データを音声データ蓄積部４２に蓄積し、放送開始処理を示す信号を割込放送データ送信部４４と切換信号生成部４６とに送信する。
【００７７】
割込放送データ送信部４４は、受信した前記信号に基づいて音声データ蓄積部４２に蓄積されている音声データのうち、前記信号に対応する音声データを呼び出し、この音声データの信号に対して変調処理を行う。さらに、変調信号に搬送波信号を重畳して第２の放送として切換部４８に送信する。
【００７８】
一方、切換信号生成部４６は、受信した前記信号に基づいて切換部４８を構成するスイッチを切り換えるための信号を生成し、前記信号を切換部４８に送信する。
【００７９】
切換部４８は、切換信号生成部４６から受信した前記信号に基づいて、再放送装置２２（１）に接続される他方の入力端子と出力端子との接続を、割込放送データ送信部４４に接続される一方の入力端子と出力端子との接続に切り換える。これにより、切換部４８を介して前記第２の放送が放送用アンテナ（第２アンテナ）５０に送信され、この放送用アンテナ５０は前記第２の放送を電波として放射する。
【００８０】
これにより、放送用アンテナ５０の放送区間（トンネル２０（１））を走行する車両３０に対して割込放送装置１６（１）から第２の放送が放送され、車両３０の図示しないカーラジオを介して第１の放送に代わり前記第２の放送が道路情報として車両３０の搭乗者に提供される（ステップＳ１２）。
【００８１】
一方、ステップＳ１０において、音声データ生成処理部３８が放送開始（終了）データ６８の内容が放送終了処理であると判定した場合、音声データ生成処理部３８は、受信した前記制御信号に基づいて放送終了処理を示す信号を切換信号生成部４６に送信する。切換信号生成部４６は、受信した前記信号に基づいて切換部４８に供給する信号の生成及び送信を停止する（ステップＳ１３）。これにより、切換部４８は、一方の入力端子と出力端子との接続を、他方の入力端子と前記出力端子との接続に切り換える。これにより、切換部４８を介して再放送装置２２（１）から第２アンテナ５０に第１の放送が送信され、トンネル２０（１）内には第２の放送に代わり前記第１の放送が放送される。
【００８２】
また、ステップＳ９において、割込放送装置１６（１）から通信回線１４を介して割込放送装置１６（２）に送信された制御信号は、割込放送装置１６（２）の通信制御部３２に受信される（ステップＳ１４）。
【００８３】
割込放送装置１６（２）の通信制御部３２は、受信した前記制御信号を割込放送装置１６（３）に送信する（ステップＳ１５）と共に、アドレス判定処理部３４に送信する。アドレス判定処理部３４は、割込放送装置１６（２）のアドレスと、前記制御信号の放送区間データ６６に格納されたアドレスとが一致するか否かを判定して、前記制御信号が割込放送装置１６（１）に対する制御信号であると判断してから、この制御信号を位置特定部３６に送信する。
【００８４】
位置特定部３６では、アドレス判定処理部３４における判定結果に基づいて、割込放送装置１６（１）と割込放送装置１６（２）との位置関係を求める（ステップＳ１６）。この場合、位置特定部３６には、予め各割込放送装置１６（１）〜１６（４）の位置関係が登録されている。そのため、位置特定部３６は、割込放送装置１６（１）は割込放送装置１６（２）よりも下流側であると認識する。
【００８５】
次いで、位置特定部３６は、音声データ生成処理部３８に前記制御信号を送信し、音声データ生成処理部３８は、受信した前記制御信号を構成する放送文章種別データ７０及び放送文章内容データ７２から放送処理を行うか否かを判定する（ステップＳ１７）。
【００８６】
この判定処理では、先ず、音声データ生成処理部３８は、放送文章種別データ７０及び放送文章内容データ７２の各識別番号データより文章の種類及び内容を把握する。次いで、音声データ生成処理部３８は、各文章に対して、割込放送装置１６（１）と割込放送装置１６（２）との位置関係を参照して、放送処理を行うか否かを判定する。この判定処理では、故障車両５８が存在するトンネル２０（２）を放送区間とする割込放送装置１６（２）が自己の割込放送装置１６（２）に対して下流側であるか否かで放送処理を行うか否かを判定する。
【００８７】
上述した判定処理において、故障車両５８が存在するトンネル２０（２）の放送区間を担当する割込放送装置１６（２）が、自己の割込放送装置１６（２）に対して下流側であると判定された場合、音声データ生成処理部３８は、ステップＳ１０と同様に、放送開始（終了）データ６８の内容を調べ、前記制御信号の示す指示内容が放送開始処理であるか否かを判定する（ステップＳ１８）。
【００８８】
ステップＳ１８において、前記指示内容が放送開始処理であると判定した場合、音声データ生成処理部３８は、音声データの生成処理を行う（ステップＳ１９）。
【００８９】
ステップＳ１９において、音声データ生成処理部３８は、ステップＳ１１と同様に、放送文章種別データ７０に格納されている識別番号データから、生成する音声データの文章の種類を判定し、放送文章種別データ７０が編集文データであると判定する。
【００９０】
次いで、音声データ生成処理部３８は、放送文章内容データ７２内の識別番号データに対応する音片データを音片データ蓄積部４０から呼び出して、音声データを生成する。この場合、位置特定部３６から送信される位置関係より、故障車両５８の発生しているトンネル２０（２）のデータを前記音声データに盛り込む。これにより、トンネル２０（２）内に故障車両５８が存在するという意味の音声データを生成することができる。
【００９１】
次いで、音声データ生成処理部３８は、生成した前記音声データを音声データ蓄積部４２に蓄積し、放送開始処理を示す信号を割込放送データ送信部４４及び切換信号生成部４６に送信する。
【００９２】
割込放送データ送信部４４は、前述したステップＳ１２の処理と同様に、受信した前記信号に基づいて前記信号に対応する音声データを音声データ蓄積部４２から呼び出し、この音声データの信号に対して変調処理を行い、変調信号に搬送波信号を重畳して第２の放送として切換部４８に送信する。
【００９３】
一方、切換信号生成部４６は、受信した前記信号に基づいて切換部４８を構成するスイッチを切り換えるための信号を生成し、前記信号を切換部４８に送信する。
【００９４】
切換部４８は、切換信号生成部４６から受信した前記信号に基づいて、再放送装置２２（２）に接続される他方の入力端子と出力端子との接続を、割込放送データ送信部４４に接続される一方の入力端子と出力端子との接続に切り換える。これにより、切換部４８を介して前記第２の放送が放送用アンテナ５０に送信され、この放送用アンテナ５０は前記第２の放送を電波として放射する。
【００９５】
これにより、放送用アンテナ５０の放送区間（トンネル２０（２））を走行する車両３０に対して割込放送装置１６（２）から第２の放送が放送され、車両３０の図示しないカーラジオを介して第１の放送に代わり前記第２の放送が道路情報として車両３０の搭乗者に提供される（ステップＳ２０）。
【００９６】
また、ステップＳ１８において、音声データ生成処理部３８が放送開始（終了）データ６８の内容が放送終了処理であると判定した場合、音声データ生成処理部３８は、ステップＳ１３と同様に、受信した前記制御信号に基づいて放送終了処理を示す信号を切換信号生成部４６に送信し、この切換信号生成部４６は、受信した前記信号に基づいて切換部４８に供給する信号の生成及び送信を停止する（ステップＳ２１）。これにより、切換部４８は、一方の入力端子と出力端子との接続を、他方の入力端子と前記出力端子との接続に切り換える。これにより、切換部４８を介して再放送装置２２（２）から第２アンテナ５０に第１の放送が送信され、トンネル２０（２）内には第２の放送に代わり前記第１の放送が放送される。
【００９７】
また、ステップＳ１７において、音声データ生成処理部３８が放送処理を行わないと判定した場合、音声データ生成処理部３８は音声データ生成処理を行わず、現時点での割込放送装置１６（２）の状態を維持する（ステップＳ２２）。
【００９８】
また、ステップＳ１５において、割込放送装置１６（２）から通信回線１４を介して割込放送装置１６（３）に送信された制御信号は、割込放送装置１６（３）の通信制御部３２に受信される（ステップＳ２３）。
【００９９】
割込放送装置１６（３）の通信制御部３２は、受信した前記制御信号を割込放送装置１６（４）に送信する（ステップＳ２４）と共に、アドレス判定処理部３４に送信し、アドレス判定処理部３４は、割込放送装置１６（３）のアドレスと、前記制御信号の放送区間データ６６に格納されたアドレスとが一致するか否かを判定して、前記制御信号が割込放送装置１６（１）に対する制御信号であると判断してから、この制御信号を位置特定部３６に送信する。
【０１００】
位置特定部３６では、アドレス判定処理部３４における判定結果に基づいて、割込放送装置１６（１）と割込放送装置１６（３）との位置関係を求める（ステップＳ２５）。ステップＳ２５の処理は、前述したステップＳ１６の処理と同様に、予め位置特定部３６に登録されている各割込放送装置１６（１）〜１６（３）間の位置関係から、放送区間データ６６内のアドレスが割込放送装置１６（１）のアドレスであり、割込放送装置１６（１）は割込放送装置１６（３）よりも下流側であると認識する。
【０１０１】
次いで、位置特定部３６は、ステップＳ１７の処理と同様に、音声データ生成処理部３８に前記制御信号を送信し、音声データ生成処理部３８は、受信した制御信号を構成する放送文章種別データ７０及び放送文章内容データ７２から放送処理を行うか否かを判定する（ステップＳ２６）。先ず、音声データ生成処理部３８は、放送文章種別データ７０及び放送文章内容データ７２の各識別番号データより文章の種類及び内容を把握し、この文章に対して、割込放送装置１６（２）と割込放送装置１６（３）との位置関係を参照して、故障車両５８が存在するトンネル２０（２）を放送区間とする割込放送装置１６（２）が自己の割込放送装置１６（３）に対して下流側であるか否かを判定する。
【０１０２】
上述した判定処理において、故障車両５８が存在するトンネル２０（２）の放送区間を担当する割込放送装置１６（２）が、自己の割込放送装置１６（３）に対して下流側であると判定された場合、音声データ生成処理部３８は、ステップＳ１０、Ｓ１８と同様に、放送開始（終了）データ６８の内容を調べ、前記制御信号の示す指示内容が放送開始処理であるか否かを判定する（ステップＳ２７）。
【０１０３】
ステップＳ２７において、前記指示内容が放送開始処理であると判定した場合、音声データ生成処理部３８は、音声データの生成処理を行う（ステップＳ２８）。
【０１０４】
ステップＳ２８において、音声データ生成処理部３８は、ステップＳ１１、Ｓ１９と同様に、放送文章種別データ７０に格納されている識別番号データから、生成する音声データの文章の種類を判定し、放送文章種別データ７０が編集文データであると判定する。
【０１０５】
次いで、音声データ生成処理部３８は、放送文章内容データ７２内の識別番号データに対応する音片データを音片データ蓄積部４０から呼び出して、音声データを生成する。この場合、位置特定部３６から送信される位置関係より、故障車両５８の発生しているトンネル２０（２）のデータを前記音声データに盛り込む。これにより、トンネル２０（２）内に故障車両５８が存在するという意味の音声データを生成することができる。
【０１０６】
次いで、音声データ生成処理部３８は、生成した前記音声データを音声データ蓄積部４２に蓄積し、放送開始処理を示す信号を割込放送データ送信部４４及び切換信号生成部４６に送信する。
【０１０７】
割込放送データ送信部４４は、前述したステップＳ１２、Ｓ２０の処理と同様に、受信した前記信号に基づいて前記信号に対応する音声データを音声データ蓄積部４２から呼び出し、この音声データの信号に対して変調処理を行い、変調信号に搬送波信号を重畳して第２の放送として切換部４８に送信する。一方、切換信号生成部４６は、受信した前記信号に基づいて切換部４８を構成するスイッチを切り換えるための信号を生成し、前記信号を切換部４８に送信する。
【０１０８】
切換部４８は、切換信号生成部４６から受信した前記信号に基づいて、再放送装置２２（３）に接続される他方の入力端子と出力端子との接続を、割込放送データ送信部４４に接続される一方の入力端子と出力端子との接続に切り換える。これにより、切換部４８を介して前記第２の放送が放送用アンテナ５０に送信され、この放送用アンテナ５０は前記第２の放送を電波として放射する。
【０１０９】
これにより、放送用アンテナ５０の放送区間（トンネル２０（３））を走行する車両３０に対して割込放送装置１６（３）から第２の放送が放送され、車両３０の図示しないカーラジオを介して第１の放送に代わり前記第２の放送が道路情報として車両３０の搭乗者に提供される（ステップＳ２９）。
【０１１０】
また、ステップＳ２７において、音声データ生成処理部３８が放送開始（終了）データ６８の内容が放送終了処理であると判定した場合、音声データ生成処理部３８は、ステップＳ１３、Ｓ２１と同様に、受信した前記制御信号に基づいて放送終了処理を示す信号を切換信号生成部４６に送信し、この切換信号生成部４６は、受信した前記信号に基づいて切換部４８に供給する信号の生成及び送信を停止する（ステップＳ３０）。これにより、切換部４８は、一方の入力端子と出力端子との接続を、他方の入力端子と前記出力端子との接続に切り換える。これにより、切換部４８を介して再放送装置２２（３）から第２アンテナ５０に第１の放送が送信され、トンネル２０（３）内には第２の放送に代わり前記第１の放送が放送される。
【０１１１】
また、ステップＳ２６において、音声データ生成処理部３８が放送処理を行わないと判定した場合、音声データ生成処理部３８は音声データ生成処理を行わず、現時点での割込放送装置１６（３）の状態を維持する（ステップＳ３１）。
【０１１２】
また、ステップＳ２４において、割込放送装置１６（３）から通信回線１４を介して割込放送装置１６（４）に送信された制御信号は、割込放送装置１６（４）の通信制御部３２に受信される（ステップＳ３２）。
【０１１３】
割込放送装置１６（４）の通信制御部３２は、受信した前記制御信号をアドレス判定処理部３４に送信し、アドレス判定処理部３４は、割込放送装置１６（４）のアドレスと、前記制御信号の放送区間データ６６に格納されたアドレスとが一致するか否かを判定して、前記制御信号が割込放送装置１６（１）に対する制御信号であると判断してから、この制御信号を位置特定部３６に送信する。
【０１１４】
位置特定部３６では、アドレス判定処理部３４における判定結果に基づいて、割込放送装置１６（１）と割込放送装置１６（４）との位置関係を求める（ステップＳ３３）。ステップＳ３３の処理は、前述したステップＳ１６、Ｓ２５の処理と同様に、予め位置特定部３６に登録されている各割込放送装置１６（１）〜１６（４）間の位置関係から、放送区間データ６６内のアドレスが割込放送装置１６（１）のアドレスであり、割込放送装置１６（１）は割込放送装置１６（４）よりも下流側であると認識する。
【０１１５】
次いで、位置特定部３６は、ステップＳ１７、Ｓ２６の処理と同様に、音声データ生成処理部３８に前記制御信号を送信し、音声データ生成処理部３８は、受信した制御信号を構成する放送文章種別データ７０及び放送文章内容データ７２から放送処理を行うか否かを判定する（ステップＳ３４）。先ず、音声データ生成処理部３８は、放送文章種別データ７０及び放送文章内容データ７２の各識別番号データより文章の種類及び内容を把握し、この文章に対して、割込放送装置１６（２）と割込放送装置１６（４）との位置関係を参照して、故障車両５８が存在するトンネル２０（２）を放送区間とする割込放送装置１６（２）が自己の割込放送装置１６（４）に対して下流側であるか否かを判定する。
【０１１６】
上述した判定処理において、故障車両５８が存在するトンネル２０（２）の放送区間を担当する割込放送装置１６（２）が、自己の割込放送装置１６（４）に対して下流側であると判定された場合、音声データ生成処理部３８は、ステップＳ１０、Ｓ１８、Ｓ２７と同様に、放送開始（終了）データ６８の内容を調べ、前記制御信号の示す指示内容が放送開始処理であるか否かを判定する（ステップＳ３５）。
【０１１７】
ステップＳ３５において、前記指示内容が放送開始処理であると判定した場合、音声データ生成処理部３８は、音声データの生成処理を行う（ステップＳ３６）。
【０１１８】
ステップＳ３６において、音声データ生成処理部３８は、ステップＳ１１、Ｓ１９、Ｓ２８と同様に、放送文章種別データ７０に格納されている識別番号データから、生成する音声データの文章の種類を判定し、放送文章種別データ７０が編集文データであると判定する。
【０１１９】
次いで、音声データ生成処理部３８は、放送文章内容データ７２内の識別番号データに対応する音片データを音片データ蓄積部４０から呼び出して、音声データを生成する。この場合、位置特定部３６から送信される位置関係より、故障車両５８の発生しているトンネル２０（２）のデータを前記音声データに盛り込む。これにより、トンネル２０（２）内に故障車両５８が存在するという意味の音声データを生成することができる。
【０１２０】
次いで、音声データ生成処理部３８は、生成した前記音声データを音声データ蓄積部４２に蓄積し、放送開始処理を示す信号を割込放送データ送信部４４及び切換信号生成部４６に送信する。
【０１２１】
割込放送データ送信部４４は、前述したステップＳ１２、Ｓ２０、Ｓ２９の処理と同様に、受信した前記信号に基づいて前記信号に対応する音声データを音声データ蓄積部４２から呼び出し、この音声データの信号に対して変調処理を行い、変調信号に搬送波信号を重畳して第２の放送として切換部４８に送信する。一方、切換信号生成部４６は、受信した前記信号に基づいて切換部４８を構成するスイッチを切り換えるための信号を生成し、前記信号を切換部４８に送信する。
【０１２２】
切換部４８は、切換信号生成部４６から受信した前記信号に基づいて、再放送装置２２（４）に接続される他方の入力端子と出力端子との接続を、割込放送データ送信部４４に接続される一方の入力端子と出力端子との接続に切り換える。これにより、切換部４８を介して前記第２の放送が放送用アンテナ５０に送信され、この放送用アンテナ５０は前記第２の放送を電波として放射する。
【０１２３】
これにより、放送用アンテナ５０の放送区間（トンネル２０（４））を走行する車両３０に対して割込放送装置１６（４）から第２の放送が放送され、車両３０の図示しないカーラジオを介して第１の放送に代わり前記第２の放送が道路情報として車両３０の搭乗者に提供される（ステップＳ３７）。
【０１２４】
また、ステップＳ３５において、音声データ生成処理部３８が放送開始（終了）データ６８の内容が放送終了処理であると判定した場合、音声データ生成処理部３８は、ステップＳ１３、Ｓ２１、Ｓ３０と同様に、受信した前記制御信号に基づいて放送終了処理を示す信号を切換信号生成部４６に送信し、この切換信号生成部４６は、受信した前記信号に基づいて切換部４８に供給する信号の生成及び送信を停止する（ステップＳ３８）。これにより、切換部４８は、一方の入力端子と出力端子との接続を、他方の入力端子と前記出力端子との接続に切り換える。これにより、切換部４８を介して再放送装置２２（４）から第２アンテナ５０に第１の放送が送信され、トンネル２０（４）内には第２の放送に代わり前記第１の放送が放送される。
【０１２５】
また、ステップＳ３４において、音声データ生成処理部３８が放送処理を行わないと判定した場合、音声データ生成処理部３８は音声データ生成処理を行わず、現時点での割込放送装置１６（４）の状態を維持する（ステップＳ３９）。
【０１２６】
上述した説明では、放送区間データ６６に割込放送装置１６（１）のアドレスが格納されている場合について説明した。ここで、放送区間データ６６に割込放送装置１６（２）〜割込放送装置１６（４）のいずれかを特定するアドレスが格納され、このアドレスを含む制御信号が、通信回線１４を介して中央制御装置１２から割込放送装置１６（１）に送信されると、ステップＳ８において、割込放送装置１６（１）のアドレス判定処理部３４は、登録されている割込放送装置１６（１）のアドレスと一致しないので、この制御信号が割込放送装置１６（１）に対する制御信号ではないと判断し、図６に示すように、この制御信号を通信制御部３２及び通信回線１４を介して割込放送装置１６（２）に送信する（ステップＳ４０）と共に、この制御信号を位置特定部３６に送信する。
【０１２７】
割込放送装置１６（１）の位置特定部３６では、アドレス判定処理部３４における判定結果に基づいて、割込放送装置１６（１）と割込放送装置１６（２）〜１６（４）との位置関係を求める（ステップＳ４１）。ステップＳ４１の処理は、前述したステップＳ１６、Ｓ２５、Ｓ３３の処理と同様に、予め位置特定部３６に登録されている各割込放送装置１６（１）〜１６（４）の位置関係から、放送区間データ６６内のアドレスが割込放送装置１６（２）〜１６（４）のアドレスであり、割込放送装置１６（１）は割込放送装置１６（２）〜１６（４）よりも下流側であると認識する。
【０１２８】
次いで、位置特定部３６は、ステップＳ１７、Ｓ２６、Ｓ３４の処理と同様に、音声データ生成処理部３８に前記制御信号を送信し、音声データ生成処理部３８は、受信した制御信号を構成する放送文章種別データ７０及び放送文章内容データ７２から放送処理を行うか否かを判定する（ステップＳ４２）。先ず、音声データ生成処理部３８は、放送文章種別データ７０及び放送文章内容データ７２の各識別番号データより文章の種類及び内容を把握し、この文章に対して、割込放送装置１６（１）と割込放送装置１６（２）〜１６（４）との位置関係を参照して、故障車両５８が存在するトンネル２０（２）を放送区間とする割込放送装置１６（２）が自己の割込放送装置１６（１）に対して下流側であるか否かを判定する。
【０１２９】
上述した判定処理において、故障車両５８が存在するトンネル２０（２）の放送区間を担当する割込放送装置１６（２）が、自己の割込放送装置１６（１）に対して下流側であると判定された場合、音声データ生成処理部３８は、ステップＳ１０以降の処理を実行する。
【０１３０】
一方、ステップＳ４２において、音声データ生成処理部３８が放送処理を行わないと判定した場合、音声データ生成処理部３８は音声データ生成処理を行わず、現時点での割込放送装置１６（１）の状態を維持する（ステップＳ４３）。
【０１３１】
また、ステップＳ４０において、割込放送装置１６（１）から通信回線１４を介して割込放送装置１６（２）に送信された制御信号は、割込放送装置１６（２）の通信制御部３２に受信される（ステップＳ４４）。
【０１３２】
割込放送装置１６（２）の通信制御部３２は、受信した前記制御信号をアドレス判定処理部３４に送信し、このアドレス判定処理部３４では、ステップＳ８と同様に、放送区間データ６６に格納されたアドレスが、予めアドレス判定処理部３４に登録された割込放送装置１６（２）のアドレスと一致するか否かを判定する（ステップＳ４５）。この判定処理において、２つのアドレスが一致した場合、アドレス判定処理部３４は、前記制御信号が割込放送装置１６（２）に対する制御信号であると判断し、次いで、この制御信号を通信制御部３２及び通信回線１４を介して割込放送装置１６（３）に送信する（ステップＳ４６）。ステップＳ４６の後、割込放送装置１６（２）は、ステップＳ１８以降の処理を行う。
【０１３３】
また、ステップＳ４６において、割込放送装置１６（２）から通信回線１４を介して割込放送装置１６（３）に送信された制御信号は、割込放送装置１６（３）の通信制御部３２に受信される（ステップＳ４７）。
【０１３４】
割込放送装置１６（３）の通信制御部３２は、受信した前記制御信号を通信回線１４を介して割込放送装置１６（４）に送信する（ステップＳ４８）と共に、割込放送装置１６（３）はステップＳ２５以降の処理を行う。
【０１３５】
さらに、ステップＳ４８において、割込放送装置１６（３）から通信回線１４を介して割込放送装置１６（４）に送信された制御信号は、割込放送装置１６（４）の通信制御部３２に受信され（ステップＳ４９）、割込放送装置１６（４）は、ステップＳ３３以降の処理を行う。
【０１３６】
また、ステップＳ４５において、割込放送装置１６（２）のアドレス判定処理部３４が、受信した制御信号が割込放送装置１６（２）に対する制御信号ではないと判断した場合、図７に示すように、割込放送装置１６（２）は、この制御信号を通信制御部３２及び通信回線１４を介して割込放送装置１６（３）に送信する（ステップＳ５０）。
【０１３７】
ステップＳ５０において、割込放送装置１６（２）から通信回線１４を介して割込放送装置１６（３）に送信された制御信号は、割込放送装置１６（３）の通信制御部３２に受信され（ステップＳ５１）、通信制御部３２は、受信した前記制御信号をアドレス判定処理部３４に送信する。
【０１３８】
割込放送装置１６（３）のアドレス判定処理部３４では、ステップＳ８、Ｓ４５と同様に、放送区間データ６６に格納されたアドレスが、予めアドレス判定処理部３４に登録された割込放送装置１６（３）のアドレスと一致するか否かを判定する（ステップＳ５２）。この判定処理において、２つのアドレスが一致した場合、アドレス判定処理部３４は、前記制御信号が割込放送装置１６（３）に対する制御信号であると判断し、次いで、この制御信号を通信制御部３２及び通信回線１４を介して割込放送装置１６（４）に送信する（ステップＳ５３）。ステップＳ５３の後、割込放送装置１６（３）は、ステップＳ２７以降の処理を行う。
【０１３９】
ステップＳ５３において、割込放送装置１６（３）から通信回線１４を介して割込放送装置１６（４）に送信された制御信号は、割込放送装置１６（４）の通信制御部３２に受信され（ステップＳ５４）、割込放送装置１６（４）は、ステップＳ３３以降の処理を行う。
【０１４０】
また、ステップＳ５２において、割込放送装置１６（３）のアドレス判定処理部３４が、受信した制御信号が割込放送装置１６（３）に対する制御信号ではないと判断した場合、図８に示すように、割込放送装置１６（３）は、この制御信号を通信制御部３２及び通信回線１４を介して割込放送装置１６（４）に送信する（ステップＳ５５）と共に、ステップＳ２５以降の処理を行う。
【０１４１】
ステップＳ５５において、割込放送装置１６（３）から通信回線１４を介して割込放送装置１６（４）に送信された制御信号は、割込放送装置１６（４）の通信制御部３２に受信され（ステップＳ５６）、通信制御部３２は、受信した前記制御信号をアドレス判定処理部３４に送信する。
【０１４２】
割込放送装置１６（４）のアドレス判定処理部３４では、ステップＳ８、Ｓ４５、Ｓ５２と同様に、放送区間データ６６に格納されたアドレスが、予めアドレス判定処理部３４に登録された割込放送装置１６（４）のアドレスと一致するか否かを判定する（ステップＳ５７）。この判定処理において、２つのアドレスが一致した場合、アドレス判定処理部３４は前記制御信号が割込放送装置１６（４）に対する制御信号であると判断し、この割込放送装置１６（４）は、ステップＳ３５以降の処理を行う。
【０１４３】
一方、ステップＳ５７において、アドレス判定処理部３４が前記制御信号が割込放送装置１６（４）に対する制御信号でないと判断した場合、割込放送装置１６（４）は音声データ生成処理を行わず、現時点での割込放送装置１６（４）の状態を維持する（ステップＳ５８）。
【０１４４】
上述した説明について、図２及び図１１を参照しながら従来技術と対比して、より具体的に説明する。ここでは、トンネル２０（２）内に事故による故障車両５８が存在する場合について説明する。
【０１４５】
従来技術に係るトンネル割込放送制御システム１００（図１１参照）では、中央制御装置１１６は、トンネル２０（１）〜２０（４）（放送区間１〜４）を担当する各割込放送装置１２２（１）〜１２２（４）に対してそれぞれ制御信号及び音声データを作成し、これらの制御信号及び音声データを各割込放送装置１２２（１）〜１２２（４）に送信していた。すなわち、中央制御装置１１６では、放送区間２を担当する割込放送装置１２２（２）に対して「このトンネル内で事故が発生しております。」という内容の道路情報に係る音声データと、制御信号とを作成し、放送区間３を担当する割込放送装置１２２（３）に対して「この先のトンネルで事故が発生しております。」という内容の道路情報を含む音声データと、制御信号とを作成し、放送区間４を担当する割込放送装置１２２（４）に対して「この２つ先のトンネルで事故が発生しております。」という内容の道路情報を含む音声データと、制御信号とを作成していた。
【０１４６】
これに対して、本実施の形態に係るトンネル割込放送制御システム１０（図２参照）では、中央制御装置１２は、放送区間２を担当する割込放送装置１６（２）に対して「このトンネル内で事故が発生しております。」という内容の道路情報に対応する識別番号データを含んだ制御信号を作成し、この制御信号を通信回線１４を介して割込放送装置１６（１）に送信する。
【０１４７】
割込放送装置１６（１）では、前記制御信号に含まれる各識別番号データを判定して、割込放送装置１６（２）は割込放送装置１６（１）よりも上流側なので第２の放送をトンネル２０（１）内に放送しないことを決定し、第２の放送を放送するための音声データの作成を行わず、前記制御信号を割込放送装置１６（２）に送信する。
【０１４８】
割込放送装置１６（２）では、割込放送装置１６（１）から受信した制御信号について、割込放送装置１６（２）に対する制御信号であると判定し、「このトンネル内で事故が発生しております。」という内容の音声データを作成し、この音声データを道路情報としてトンネル２０（２）内に放送する。
【０１４９】
さらに、割込放送装置１６（２）は、前記制御信号を割込放送装置１６（３）に送信し、割込放送装置１６（３）では、受信した制御信号に含まれる位置情報（トンネル２０（２））と、割込放送装置１６（２）と割込放送装置１６（３）との位置関係から、割込放送装置１６（２）が割込放送装置１６（３）よりも下流側にあることを判定し、前記位置情報を「この先のトンネル」に修正する。これにより、割込放送装置１６（３）は、「この先のトンネルで事故が発生しております。」という内容の音声データを作成し、この音声データを道路情報としてトンネル２０（３）内に放送する。
【０１５０】
さらにまた、割込放送装置１６（３）は、前記制御信号を割込放送装置１６（４）に送信し、割込放送装置１６（４）では、受信した制御信号に含まれる位置情報（トンネル２０（２））と、割込放送装置１６（２）と割込放送装置１６（４）との位置関係から、割込放送装置１６（２）が割込放送装置１６（４）よりも下流側にあることを判定し、前記位置情報を「２つ先のトンネル」に修正する。これにより、割込放送装置１６（４）は、「２つ先のトンネルで事故が発生しております。」という内容の音声データを作成し、この音声データを道路情報としてトンネル２０（４）内に放送する。
【０１５１】
これにより、本実施の形態に係るトンネル割込放送制御システム１０では、割込放送装置１６（１）、１６（３）、１６（４）が、割込放送装置１６（２）宛の制御信号に含まれる位置情報を修正してから、修正した位置情報を含む道路情報を各トンネル２０（３）、２０（４）内に放送する。すなわち、中央制御装置１２は、割込放送装置１６（２）に対する制御信号のみを生成すればよいので、複数の割込放送装置１６（１）〜１６（４）の各々に同じような放送内容を含む複数の制御信号を生成する手間を省くことができる。
【０１５２】
上述した説明では、通信回線１４が中央制御装置１２及び各割込放送装置１６（ｉ）をループ状に接続する場合について説明したが、本実施の形態に係るトンネル割込放送制御システム１０では、図８に示すように、通信回線１４を介して中央制御装置１２及び各割込放送装置１６（ｉ）を直列に接続したり、図９に示すように、複数の通信回線１４（ｉ）を介して中央制御装置１２と各割込放送装置１６（ｉ）とを直接接続することも可能である。
【０１５３】
このように、本実施の形態に係るトンネル割込放送制御システム１０では、中央制御装置１２において制御信号を生成し、各割込放送装置１６（ｉ）では前記制御信号に基づいて音声データを生成するようにしたので、通信回線１４を伝送する信号は、前記音声データと比較して情報量が極めて少ない前記制御信号のみとなる。これにより、通信回線１４の負荷を著しく軽減することができる。
【０１５４】
また、中央制御装置１２から各割込放送装置１６（ｉ）に伝送される信号は前記制御信号のみであるから、通信回線１４での伝送時間を著しく減少させることができ、各割込放送装置１６（ｉ）から道路１８上のトンネル２０（ｉ）を走行している車両３０に対して迅速に道路情報を放送することが可能となる。
【０１５５】
また、通信回線１４が中央制御装置１２と各割込放送装置１６（ｉ）とをループ状に接続しているので、中央制御装置１２と各割込放送装置１６（ｉ）との間の通信回線のうち、一方向の経路が事故又は故障により前記制御信号が送信できない場合であっても、反対方向の経路を介して前記制御信号を送信することが可能となり、トンネル割込放送制御システム１０を停止させることなく各割込放送装置１６（ｉ）を管理・運用することが可能となる。また、従来技術に係るトンネル割込放送制御システム１００と比較して通信回線１４の総延長距離が短縮されるので、通信回線１４の構築コストを低減することが可能となる。
【０１５６】
中央制御装置１２と各割込放送装置１６（ｉ）とを通信回線１４で直列に接続した場合でも、従来技術に係るトンネル割込放送制御システム１００と比較して通信回線１４の総延長距離が短縮されるので、通信回線１４の構築コストを低減することが可能となる。
【０１５７】
さらに、各割込放送装置１６（ｉ）は、受信した前記制御信号が自己の割込放送装置１６（ｉ）に対する制御信号であるか否かを判定するので、より的確な道路情報の放送が可能となる。また、音片データ蓄積部４０に複数の音片データが蓄積されているので、前記制御信号に対応して様々な音声データを音声データ生成処理部３８で生成することができ、多様な道路情報を割込放送装置１６（ｉ）からトンネル２０（ｉ）内に放送することが可能となる。
【０１５８】
さらにまた、位置情報を含む制御信号を所定の割込放送装置１６（ｉ）に送信するだけで、前記制御信号を受信した別の割込放送装置１６（ｉ）は、自己の割込放送装置１６（ｉ）と所定の割込放送装置１６（ｉ）との位置関係から、前記位置情報を修正し、修正した位置情報を含む音声データを音声データ生成処理部３８により生成し、前記音声データを第２の放送として道路１８上のトンネル２０（ｉ）内に放送する。
【０１５９】
そのため、中央制御装置１２は、複数の放送区間に配置された各割込放送装置１６（ｉ）に対して、同一の放送内容を放送するために複数の制御信号を生成するといった手間を省くことができる。また、各割込放送装置１６（ｉ）では、前記位置情報を修正して前記各放送区間に対応する道路情報を放送するので、中央制御装置１２からの各割込放送装置１６（ｉ）の管理・運用が容易となる。特に、通信回線１４がループ状あるいは直列に中央制御装置１２と各割込放送装置１６（ｉ）とを接続すれば、１つの制御信号を各割込放送装置１６（ｉ）に伝送し、各割込放送装置１６（ｉ）に対応する道路情報の放送を行うことが容易となる。
【０１６０】
なお、本発明に係るトンネル割込放送制御システムは、上述の実施の形態に限らず、本発明の要旨を逸脱することなく、種々の構成を採り得ることは勿論である。
【図面の簡単な説明】
【０１６１】
【図１】本実施の形態に係るトンネル割込放送制御システムの構成図である。
【図２】図１のトンネル割込放送制御システムの概略構成図である。
【図３】本実施の形態に係るトンネル割込放送制御システムの処理を示すフローチャートである。
【図４】制御信号を示すデータの構成を示す説明図である。
【図５】本実施の形態に係るトンネル割込放送制御システムの処理を示すフローチャートである。
【図６】本実施の形態に係るトンネル割込放送制御システムの処理を示すフローチャートである。
【図７】本実施の形態に係るトンネル割込放送制御システムの処理を示すフローチャートである。
【図８】本実施の形態に係るトンネル割込放送制御システムの処理を示すフローチャートである。
【図９】中央制御装置と割込放送装置とを通信回線を介して直列に接続した場合を示す概略構成図である。
【図１０】中央制御装置と各割込放送装置とを複数の通信回線を介して直接接続した場合を示す概略構成図である。
【図１１】従来技術に係るトンネル割込放送制御システムの構成図である。
【符号の説明】
【０１６２】
１０…トンネル割込放送制御システム        １２…中央制御装置
１４…通信回線                            １６（ｉ）…割込放送装置
１８…道路                                ２０（ｉ）…トンネル
２２（ｉ）…再放送装置                    ２４…制御端末（ＰＣ端末）
２６…制御信号生成処理部                  ２８、３２…通信制御部
３０、５８…車両                          ３４…アドレス判定処理部
３６…位置特定部                          ３８…音声データ生成処理部
４０…音片データ蓄積部                    ４２…音声データ蓄積部
４４…割込放送データ送信部                ４６…切換信号生成部
４８…切換部                              ５０…放送用アンテナ（第２アンテナ）
５２…受信用アンテナ（第１アンテナ）      ５４…受信部                          
５６…送信部                              ６０、６６、６８、７０、７２…データ
【図１】
2005316691.tif 000003
【図２】
2005316691.tif 000004
【図３】
2005316691.tif 000005
【図４】
2005316691.tif 000006
【図５】
2005316691.tif 000007
【図６】
2005316691.tif 000008
【図７】
2005316691.tif 000009
【図８】
2005316691.tif 000010
【図９】
2005316691.tif 000011
【図１０】
2005316691.tif 000012
【図１１】
2005316691.tif 000013